(57)【要約】      （修正有）【課題】リモートパネルを備えた洗車機において、洗車位置への進入と洗車位置からの退場とを案内表示する表示機の表示を、ユーザーの視線を引き付ける表示内容として、案内表示を見落とさない洗車機を提供する。【解決手段】洗車の終了および洗車位置からの退場を指示する表示機１７Ａ、１７Ｂを洗車位置の前方側に設け、前記表示機に、所定の指示内容を表示する案内表示部１８ａと任意に設定される表示態様を表示する選択表示部１８ｂとを備える表示部１８設け、リモートパネルに、選択表示部１８ｂに表示させる表示態様を選択して設定する表示態様設定部を設ける構成の洗車機とした。【選択図】図１
2010269618.tif 000002
【特許請求の範囲】
【請求項１】
被洗浄車両の運転者が車内から操作して所望の洗車モードに設定するリモートパネルを備え、設定された洗車モードに応じて、被洗浄車両と洗車機本体を前後方向に相対移動させながら、前記被洗浄車両の洗車を行う洗車機であって、
洗車の終了および洗車位置からの退場を指示する表示機を洗車位置の前方側に設け、前記表示機に、所定の指示内容を表示する案内表示部と任意に設定される表示態様を表示する選択表示部とを設け、
前記リモートパネルに、前記表示態様を選択して設定する表示態様設定部を設けたことを特徴とする洗車機。
【請求項２】
前記表示態様が、背景色や表示模様などの色彩を表示する色彩表示であって、前記表示態様設定部に予め設定された複数の背景色や表示模様などの色彩の中から運転者が選択した色彩を表示することを特徴とする請求項１に記載の洗車機。
【請求項３】
前記表示態様が、メッセージ表示であって、前記表示態様設定部に予め設定された複数のメッセージの中から運転者が選択したメッセージを表示することを特徴とする請求項１に記載の洗車機。
【請求項４】
前記メッセージが新たなメッセージであって、前記リモートパネルにキー入力機能を設け、該キー入力機能を介して新たなメッセージを入力可能とし、入力された新たなセッメージを表示することを特徴とする請求項３に記載の洗車機。
【請求項５】
前記表示態様が、ニュース表示であって、前記表示態様設定部に予め入力された各ジャンルの一連のニュースをスクロール表示することを特徴とする請求項１に記載の洗車機。
【請求項６】
前記各ジャンルの中から運転者が希望するジャンルを選択可能とし、選択されたジャンルのニュースをスクロール表示することを特徴とする請求項５に記載の洗車機。
【請求項７】
前記表示態様設定部が、色彩表示、メッセージ表示、ニュース表示のいずれかを選択する第一選択機能と、選択した各表示の中で、さらにどのような表示を行うかを選択する第二選択機能を備えていることを特徴とする請求項１に記載の洗車機。
【発明の詳細な説明】
【技術分野】
【０００１】
本発明は、たとえば給油所に設置され洗車に使用される洗車機に関し、特に、洗車モードを設定するリモートパネルと、洗車の終了と退場の許可を表示する表示機を備える洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴霧して洗車を行う構成とされている。また、液剤や洗浄水を噴霧しながらブラッシングして洗浄することや、洗浄後に風を吹き付けて乾燥することが行われている。
【０００３】
洗車の際に用いる液剤としては、各種のシャンプーやワックスやコート類が用いられており、被洗浄車両のタイプや表面塗層に適した各種液剤が提案されている。これらの各種液剤は、それぞれ専用の貯液タンクに貯留されており、タンク内に挿入されたチューブを介して、洗車工程の処理に応じて噴霧され消費されていく。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
操作パネルやリモートパネルを備える洗車機の一例について図４を用いて説明する。この洗車機ＷＡは、複数のブラシを備える洗浄部材と、ブロワと複数の送風ノズルを備える乾燥部材とを一体に装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両へ噴霧して、前記被洗浄車両の洗車を行う。
【０００５】
例えば、洗車機本体１が、車輪３を介してレール２上に沿って走行移動する構成とし、洗車機本体１に設置する操作パネル７もしくは洗車機本体１から離れた位置に設置するリモートパネル７Ａに、所望の洗車モードを設定し、被洗浄車両ＣＡを、該被洗浄車両ＣＡを跨ぐ門型とされる洗車機の左右一対のレール間の所定の位置に停車して、スタートボタンを操作して、洗車操作を開始する。
【０００６】
門型の洗車機本体１は、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部を洗浄する左右一対のロッカーブラシ６を備えている。
【０００７】
また、ブラッシングの際に使用する洗浄水や各種液剤を噴霧する各種ノズルや各種液剤を貯液する貯液タンクを備えている。各種液剤を貯液する複数の貯液タンクは、洗車機本体１に設けられるタンク収納部５０に収納されており、電磁式の開閉弁と副給水ホースを備える分配配管部５１を介して各ノズルに分配している。液剤を噴霧するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【０００８】
さらに、乾燥のために、ブロワ２０と該ブロワ２０からの送風を吹き付ける昇降自在なトップ送風ノズル２１と左右一対のサイド送風ノズル２２を備えている。また、洗車機本体１に配設する操作パネル７、もしくは、洗車機本体１から離れた位置に設置するリモートパネル７Ａを介して、洗車機ＷＡの駆動条件を設定し、設定された条件に基づいて洗車機ＷＡを駆動する構成としている。８は、被洗浄車両ＣＡの有無および車高を検知するセンサであって、例えば、光電センサや超音波を利用したソニックセンサが好適に用いられる。
【０００９】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００１０】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体および乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００１１】
また、洗車が終了した後は、ユーザーに洗車が終了した旨を報知して、速やかに退場してもらうために、ユーザーが視認できる位置に配設した表示機１７に退場を指示する案内を表示することが行われている。
【００１２】
さらには、洗車位置への被洗浄車両の正確な誘導も必要であり、慣れない運転者が適正な位置へ車両を停止させるのに手間取ったり、また洗車後に円滑な退場ができずに洗車処理の効率を低下させたりするといった問題を解決するために、車両の進入・停止等を点灯して案内するガイド灯を備え、このガイド灯の点灯を制御する制御手段を設けた洗車機が既に提案されている（例えば、特許文献１参照）。
【先行技術文献】
【特許文献】
【００１３】
【特許文献１】特開２００４−１５９８号公報
【発明の概要】
【発明が解決しようとする課題】
【００１４】
ユーザーが表示機を注視していれば、ユーザーに洗車が終了したことを報知することは容易である。また、この場合は、ガイド灯を点灯させる表示機であっても、ユーザーに洗車の終了と、退場の許可を報知することも可能である。
【００１５】
しかし、ユーザーが表示機を注視していない状況では、単にガイド灯を点灯させるだけでは、視認容易とはならず、ユーザーに速やかに報知することはできない。
【００１６】
また、ガイド灯の点灯を制御してユーザーの視線を引き付ける構成であっても、ユーザーが見たいと思う表示内容でない場合には、ユーザーの興味を引かず、ユーザーの視線を十分引き付けることは困難である。
【００１７】
そのために、表示機に表示する内容は、ユーザーが好む表示内容が好ましく、または、ユーザーが見たいと思う表示内容とすることが好ましい。このように、表示機にユーザーが求める表示内容を表示できれば、ユーザーが表示機を注視する状態を維持することができ、洗車機の処理効率を向上することができる。
【００１８】
また、表示機にどのような内容を表示するかは、リモートパネルに洗車モードを設定する際に、ユーザー自身が同時に選択し設定可能であることが好ましい。
【００１９】
本発明は、上記問題点に鑑み、リモートパネルを備えた洗車機において、洗車位置への進入と洗車位置からの退場とを案内表示する表示機の表示を、ユーザーの視線を引き付ける表示内容として、案内表示を見落とさない洗車機を提供することを目的とする。
【課題を解決するための手段】
【００２０】
上記目的を達成するために本発明は、被洗浄車両の運転者が車内から操作して所望の洗車モードに設定するリモートパネルを備え、設定された洗車モードに応じて、被洗浄車両と洗車機本体を前後方向に相対移動させながら、前記被洗浄車両の洗車を行う洗車機であって、洗車の終了および洗車位置からの退場を指示する表示機を洗車位置の前方側に設け、前記表示機に、所定の指示内容を表示する案内表示部と任意に設定される表示態様を表示する選択表示部とを設け、前記リモートパネルに、前記表示態様を選択して設定する表示態様設定部を設けたことを特徴としている。
【００２１】
この構成によると、選択表示部に、ユーザー（運転者）が求める表示態様を表示することで、ユーザーの視線を引き付けて、表示機を積極的に注視させることができる。そのために、ユーザーが案内表示部に表示される指示内容を見落とすことがなくなって、洗車効率の低下を抑制可能な、ユーザーにとって使い勝手のよい洗車機を得ることができる。
【００２２】
また本発明は、上記構成の洗車機において、前記表示態様が、背景色や表示模様などの色彩を表示する色彩表示であって、前記表示態様設定部に予め設定された複数の背景色や表示模様などの色彩の中から運転者が選択した色彩を表示することを特徴としている。この構成によると、背景色や表示模様などの色彩を替える簡単な構成であっても、ユーザーが求める表示内容とすることで、表示機にユーザーの視線を引き付けることができる。
【００２３】
また本発明は、上記構成の洗車機において、前記表示態様が、メッセージ表示であって、前記表示態様設定部に予め設定された複数のメッセージの中から運転者が選択したメッセージを表示することを特徴としている。この構成によると、ユーザーが見たい、あるいは、見せたいメッセージを表示することで、表示機にユーザーの視線を引き付けることができる。
【００２４】
また本発明は、上記構成の洗車機において、前記メッセージが新たなメッセージであって、前記リモートパネルにキー入力機能を設け、該キー入力機能を介して新たなメッセージを入力可能とし、入力された新たなセッメージを表示することを特徴としている。この構成によると、ユーザーが表示したいメッセージを入力可能としているので、同乗者に見せたいメッセージや見てもらいたいメッセージなども表示可能となって、ユーザーにとってさらに好ましい洗車機となる。
【００２５】
また本発明は、上記構成の洗車機において、前記表示態様が、ニュース表示であって、前記表示態様設定部に予め入力された各ジャンルの一連のニュースをスクロール表示することを特徴としている。この構成によると、世間に注目されている一連のニュースを表示することで、表示機にユーザーの視線を引き付けて案内表示部に表示される指示内容を視認させることができる。
【００２６】
また本発明は、上記構成の洗車機において、前記各ジャンルの中から運転者が希望するジャンルを選択可能とし、選択されたジャンルのニュースをスクロール表示することを特徴としている。この構成によると、ユーザーが求めるニュースを表示することで、ユーザーの視線をさらに引き付けることができる。
【００２７】
また本発明は、上記構成の洗車機において、前記表示態様設定部が、色彩表示、メッセージ表示、ニュース表示のいずれかを選択する第一選択機能と、選択した各表示の中で、さらにどのような表示を行うかを選択する第二選択機能を備えていることを特徴としている。この構成によると、ユーザーが見たい表示内容や、同乗車に見せたい表示内容を選択容易となって、表示機に対するユーザーの注目度を上げることで、案内表示部に表示される指示内容を確実に視認させることができる洗車機となる。
【発明の効果】
【００２８】
本発明によれば、洗車の終了および洗車位置からの退場を指示する表示機に、所定の指示内容を表示する案内表示部と任意に設定される表示態様を表示する選択表示部とを設け、所望の洗車モードに設定するリモートパネルに、前記表示態様を選択して設定する表示態様設定部を設けた構成の洗車機としたので、ユーザー（運転者）が、自分自身が見たい表示態様や同乗車に見せたい表示態様を選択して表示することができ、ユーザーにとって注視し易い表示機となり、ユーザーが表示される指示内容を見落とさない洗車機を得ることができる。
【図面の簡単な説明】
【００２９】
【図１】本発明に係る洗車機が備える表示機の表示形態の一例を示し、（ａ）は縦型の表示形態を示し、（ｂ）は横型の表示形態を示す。
【図２】本発明に係る洗車機が備えるリモートパネルの一例を示す正面図である。
【図３】タッチパネルの表示形態の一例を示し、（ａ）は第一画面であり、（ｂ）は色彩が選択されたときの第二画面であり、（ｃ）はメッセージが選択されたときの第二画面であり、（ｄ）はニュースが選択されたときの第二画面の一例であり。
【図４】洗車機一台の全体構成例を示す側面図である。
【発明を実施するための形態】
【００３０】
以下に本発明の実施形態を図面を参照して説明する。また、同一構成部材については同一の符号を用い、詳細な説明は適宜省略する。
【００３１】
本実施形態の洗車機は、被洗浄車両の運転者が車内から操作して所望の洗車モードに設定するリモートパネルを備え、設定された洗車モードに応じて、被洗浄車両と洗車機本体を前後方向に相対移動させながら、前記被洗浄車両の洗車を行う洗車機である。また、運転者（ユーザー）が視認できる位置に、洗車の終了と退場を指示する案内を表示する表示機１７（図４参照）が設置されている。
【００３２】
表示機１７には、洗車の終了と洗車位置からの退場を指示する指示内容を文字表示する。また、洗車の開始時には、洗車位置への入場を、洗車中には洗車中である旨の表示を指示する指示内容を文字表示することができる。しかし、この表示機１７にユーザーの視線を引き付けるためには、ただ、指示内容を文字表示するだけでは不十分である。そのために、本実施形態では、視認容易な表示形態となるように工夫して、表示機１７にユーザーの視線を引き付けるようにしている。
【００３３】
そのために、表示機の表示部に、所定の指示内容を表示する案内表示部と任意に設定される表示態様を表示する選択表示部とを設ける構成としたものである。例えば、図１（ａ）に示すように、所定の指示内容「洗車中」を表示する案内表示部１８ａと、任意に設定される表示態様、例えば「本日のニュース」を表示する選択表示部１８ｂを設ける構成の表示部１８とした。
【００３４】
また、選択表示部１８ｂには、前述したニュース表示以外に、背景色や表示模様などの色彩を表示する色彩表示やメッセージ表示も可能な構成としている。さらには、表示部１８の周囲の枠部を所定の色で点灯・点滅させて色彩表示するフレーム表示部１８ｃを設ける構成とすることができる。なお、色彩表示の場合、選択表示部１８ｂに案内表示部１８ａを重ねて表示してもよい。重ねて表示することにより指示内容がより強調され、表示機にユーザーの視線を引き付けることができる。
【００３５】
また、表示形態としては、図１（ａ）に示す縦型表示１７Ａと図１（ｂ）に示す横型表示１７Ｂがあり、洗車機の設置場所の環境に応じて適当な方を採用することができる。また、表示機としては、文字情報のスクロール表示が可能な表示パネル式が好ましく、液晶表示パネルやＬＥＤ表示パネルなどを用いることができ、縦型表示１７Ａでは上下の縦方向にスクロールし、横型表示１７Ｂでは水平の横方向にスクロールする。
【００３６】
上記したように、選択表示部１８ｂに、ユーザー（運転者）が求める表示態様を表示することで、ユーザーの視線を引き付けて、表示機を積極的に注視させることができる。そのために、ユーザーが案内表示部１８ａに表示される指示内容を見落とすことがなくなって、洗車効率の低下を抑制可能な、ユーザーにとって使い勝手のよい洗車機を得ることができる。
【００３７】
選択表示部１８ｂに表示する表示態様は、リモートパネル７Ａを介して設定することができる。また、リモートパネル７Ａに設ける表示態様設定部に、表示する色彩表示やメッセージ表示やニュース表示などを予め入力しておく。このリモートパネル７Ａの一例について図２を用いて説明する。
【００３８】
リモートパネル７Ａは、例えば、支柱７０にパネル本体７１が上下動自在に装着された構成であって、支柱７０に昇降装置（不図示）を内蔵し、上昇ボタン８５ａ、もしくは下降ボタン８５ｂを押下して、それぞれ上昇、下降させることが可能とされている。また、パネル本体７１の正面側には、返却レバー７２、コイン投入口７３、紙幣投入口７４、カード投入口７５が設けられている。７８はつり銭の返却口もしくは領収書発行部となる払い出し部である。
【００３９】
また、操作部８１とタッチパネル部８２を備えていて、所定の洗車モードや用いる液剤の選定や表示態様の設定を行うことができる。操作部８１には、例えば、洗車モード設定開始ボタン８１ａ、液剤設定開始ボタン８１ｂ、表示態様設定開始ボタン８１ｃなどの各種設定開始用ボタンが設けられている。
【００４０】
また、タッチパネル部８２には、選択された各種設定開始モードの詳細を表示して、指でタッチすることで所望の詳細モードを設定することができ、これらのタッチ操作を介して、所望の洗車モードに設定し、所望の液剤を設定し、所望の表示態様に設定することができる。
【００４１】
また、操作部８１をタッチパネル部８２に一体に組み込んで、各種の設定開始ボタンをタッチパネル式とすることもできる。いずれの構成であっても、設定開始ボタンと各種設定モードの中から所望の項目を選択するタッチ操作を行って所望の表示態様に設定する。これらの設定開始ボタンと各種設定モードを有する設定部が表示態様設定部となる。つまり、操作部８１とタッチパネル部８２を備える構成であれば、操作部８１とタッチパネル部８２が表示態様設定部となり、操作部８１をタッチパネル部８２に一体に組み込んだ構成であれば、タッチパネル部８２が表示態様設定部となる。
【００４２】
上記の各設定操作を行った後で、被洗浄車両ＣＡを洗車機ＷＡに移動し、洗車機の左右一対のレール間の所定の洗車位置に停車して、洗車機に設ける車体検知センサもしくはスタートボタンを操作して、洗車操作を開始する。
【００４３】
洗車位置に進入して停車する際には、表示機に停車位置への進入を指示する内容を表示し、洗車中は、表示機に洗車中である旨を表示し、洗車終了後は、洗車が終了した旨、および退場を指示する表示を行う。
【００４４】
指示内容は案内表示部に表示される。この時に、選択表示部には予め設定された表示態様が表示される。設定された表示態様が色彩表示であれば、表示態様設定部に予め設定された複数の背景色や表示模様などの色彩の中から運転者が選択した色彩を表示する。この際に、停車位置への進入指示、洗車中表示、洗車終了および退場指示、のそれぞれの段階において、それぞれ異なる色彩表示を行い、洗車工程が進んだことを明確に報知することができる。また、設定された表示態様がメッセージ表示やニュース表示の場合でも、表示態様設定部に予め設定された複数のメッセージやニュースの中から運転者が選択したメッセージやニュースを表示すると共に、それぞれの洗車工程の段階において、それぞれ表示内容を変化させてもよい。
【００４５】
リモートパネル７Ａには、報知手段として音声出力を行うスピーカ８０が設けられており、洗車モードや表示態様などの設定操作の内容や手順を案内する音声ガイド、もしくは、注意事項などの音声ガイドを出力可能としている。また、音声ガイドの出力を停止する停止ボタン７６と、音声ガイドの音量を調整するボリューム調整ボタン７７が設けられている。
【００４６】
７９は車両検知センサであって、リモートパネル７Ａ部に進入してくる被洗浄車両ＣＡを検知する反射型光電センサからなる。また、リモートパネル７Ａに、被洗浄車両ＣＡの車体の色とその濃淡を検知するカラー検知手段８６を設けて、車体に適した液剤や洗車モードをユーザーに報知可能な構成としてもよい。
【００４７】
次に、表示機１７に表示させる表示態様の設定手順の一例について図３を用いて説明する。
【００４８】
表示態様を設定する際には、先ず、リモートパネル７Ａの表示態様設定開始ボタン８１ｃを押す。すると、図３（ａ）に示すように、タッチパネル部８２に、１：色彩、２：メッセージ、３：ニュースなどの選択可能な各種表示態様キーを備える第一画面が表示される。
【００４９】
ここで例えば、１の色彩を選択すると、図３（ｂ）に示すような、１：色彩として、ａ：背景色、ｂ：表示模様、ｃ・・・などの詳細な設定キーを備える第二画面が表示される。表示された複数の設定キーから所望の表示態様を選択して、図示しない設定終了キーや表示開始キーを押下する所定の設定終了操作を行うと、設定された表示態様が選択表示部に表示される。
【００５０】
また、第一画面で表示態様２のメッセージを選択すると、図３（ｃ）に示すように、２：メッセージとして、ａ：お誕生日おめでとう、ｂ：入学おめでとう、ｃ：卒業おめでとう、ｄ：新しいメッセージ、などの設定キーを備える第二画面が表示される。
【００５１】
ｄ：新しいメッセージが選択されると、ユーザーが新しいメッセージを作成可能な第三画面が表示される。この第三画面は、例えば、文字を入力するキー入力部８３と、作成したメッセージを表示するメッセージ確認部８４を備える。
【００５２】
また、第一画面で表示態様３のニュースを選択すると、図３（ｄ）に示すように、３：ニュースとして、ａ：トピックス、ｂ：国内、ｃ：国際、ｄ：スポーツ、などのジャンル別の設定キーを備える第二画面が表示される。この中から所望のジャンルを選択して、表示機１７に表示することができる。
【００５３】
表示態様が、ニュース表示であれば、各ジャンルの一連のニュースをスクロール表示することで、表示機にユーザーの視線を引き付けて案内表示部に表示される指示内容を視認させることができる。また、ａのトピックスが選択されると、世間に注目されているニュースを表示することで、ユーザーの視線を引き付けることができる。
【００５４】
また、ｂの国内が選択されると、国内の主要な複数のニュースを連続してスクロール表示し、ｃの国際が選択されると、海外の主要な複数のニュースをスクロール表示し、ｄのスポーツが選択されると、主要なスポーツニュースがスクロール表示される。
【００５５】
また、さらに詳細な項目を設定する第三画面を表示することができる。例えば、国内ニュースに関して、政治、経済、社会などの詳細ジャンルを設定可能としてもよい。
【００５６】
このように、運転者が希望するジャンルを選択可能とし、選択されたジャンルのニュースをスクロール表示することで、ユーザーが求めるニュースを表示して、ユーザーの視線をさらに引き付けることができる。
【００５７】
上記したように、操作部８１とタッチパネル部８２に表示される複数の画面を介して詳細な表示態様を設定することができる。つまり、この操作部８１とタッチパネル部８２とが表示態様設定部となる。またこの表示態様設定部は、色彩表示、メッセージ表示、ニュース表示のいずれかを選択する第一選択機能と、選択した各表示の中で、さらにどのような表示を行うかを選択する第二選択機能を備えていることは明らかである。
【００５８】
この構成であれば、ユーザーが見たい表示態様や、同乗車に見せたい表示態様を選択容易となって、表示機に対するユーザーの注目度を上げることで、案内表示部に表示される指示内容を確実に視認させることができる洗車機となる。
【００５９】
また、表示態様設定部が、タッチパネル部８２を備え、色彩表示、メッセージ表示、ニュース表示のいずれかを選択可能で前記第一選択機能を発揮する第一画面と、選択された各表示の詳細な表示情報を選択可能で前記第二選択機能を発揮する第二画面を表示することも明らかである。この構成であれば、タッチパネル部８２を介して、ユーザーが所望する表示内容に設定容易な洗車機となって好ましい。
【００６０】
また、一旦設定した表示態様を変更可能としていることが好ましい。そのために、表示態様設定部が、選択された表示態様を確認すると共に、一旦選択された表示態様に代えて、新たな表示内容に変更可能とする画面（例えば、第四画面）をさらに備える構成としている。この構成であれば、一旦設定した表示態様を確認することも、表示態様を切り替えることも容易な洗車機となって好ましい。
【００６１】
上記したように、ユーザー（運転者）は、タッチパネル部８２に表示される第一、第二、第三画面を参考にして、自分の所望する表示態様を選択して設定する。また、一旦設定した表示態様の確認と変更が可能な構成とされているので、多数人が乗車した車両の場合に、みんなの要望を元に、適当な表示態様が決定されるまで設定し直すことが可能となって好ましい。
【００６２】
また、運転者自身や同乗者が見たい、あるいは、見せたいと思う表示態様を表示させるので、騒音を発生せず静かに見ることができ、洗車が終了するのを落ち着いて安全に待つことができる。
【００６３】
上記したように本発明に係る洗車機によれば、洗車の終了および洗車位置からの退場を指示する表示機に、所定の指示内容を表示する案内表示部と任意に設定される表示態様を表示する選択表示部とを設け、所望の洗車モードに設定するリモートパネルに、前記表示態様を選択して設定する表示態様設定部を設けた構成としたので、ユーザー（運転者）が、自分自身が見たい表示態様や同乗車に見せたい表示態様を選択して表示することができ、ユーザーの視線を引き付けて注視し易い表示機となり、ユーザーが表示される指示内容を見落とさない構成の洗車機となる。
【００６４】
また、前記表示態様設定部が、色彩表示、メッセージ表示、ニュース表示のいずれかを選択する第一選択機能と、選択した各表示の中で、さらにどのような表示を詳細表示するかを選択する第二選択機能を備える構成とすることで、ユーザーが見たい表示内容や、同乗車に見せたい表示内容を選択容易となって、表示機に対するユーザーの注目度を上げることができ、案内表示部に表示される指示内容を確実に視認させることができる洗車機となる。
【産業上の利用可能性】
【００６５】
そのために、本発明に係る洗車機は、運転者や同乗車にメッセージやニュースを伝えることができる多機能洗車機として有効であり、不特定多数のユーザーが利用する洗車場の洗車機として好適に適用される。
【符号の説明】
【００６６】
１    洗車機本体
２    レール
３    車輪
７    操作パネル
７Ａ    リモートパネル
１７    表示機
１８    表示部
１８ａ  案内表示部
１８ｂ  選択表示部
８２    タッチパネル部
ＣＡ    被洗浄車両
ＷＡ    洗車機
【図１】
2010269618.tif 000003
【図２】
2010269618.tif 000004
【図３】
2010269618.tif 000005
【図４】
2010269618.tif 000006